(57)【要約】【課題】ＤＶＤ  Ｖｉｄｅｏ規格のストリームからＤＶＤ  Ｖｉｄｅｏ  Ｒｅｃｏｒｄｉｎｇ規格のストリームに変換するには、再符号化しなければならず、画像が劣化する。【解決手段】ＤＶＤ  Ｖｉｄｅｏ規格で記録する際、再変換用に冗長領域をあらかじめ設けておく。ＤＶＤ  Ｖｉｄｅｏ  Ｒｅｃｏｒｄｉｎｇ規格のストリームへの変換時には、必要なＰＥＳ  ｅｘｔｅｎｓｉｏｎ  ｆｉｅｌｄをｓｔｕｆｆｉｎｇ領域へ書き込む。これにより、記録媒体に記録されたＤＶＤ  Ｖｉｄｅｏ規格のストリームを編集する場合など利用者の必要に応じてＤＶＤ  Ｖｉｄｅｏ規格からＤＶＤ  Ｖｉｄｅｏ  Ｒｅｃｏｒｄｉｎｇ規格のストリームに変換することができる効果がある。【選択図】図１
2005159610.tif 000002
【特許請求の範囲】
【請求項１】
入力された映像音声信号を符号化する符号化手段と、ＤＶＤ  Ｖｉｄｅｏ  Ｒｅｃｏｒｄｉｎｇ規格のストリームに変換するために、所定バイトの冗長領域挿入を指示する冗長領域挿入制御手段と、符号化された映像音声ストリームをＤＶＤ  Ｖｉｄｅｏ規格のストリームとして出力するための多重化手段と、符号化の開始、終了を制御するための制御手段とを備えた映像音声符号化方法。
【請求項２】
前記冗長領域挿入制御手段から所定バイトの冗長領域を挿入したかどうかの冗長領域挿入情報を取得して、記録媒体に書き込む冗長領域情報書き込み手段をさらに備えたことを特徴とする、請求項１に記載の映像音声符号化方法。
【請求項３】
ストリームの種別を判定する判定手段と、前記判定手段で判定されたストリームの種別に応じて、ＰＥＳ  ｅｘｔｅｎｓｉｏｎ  ｆｉｅｌｄを取得して記憶する記憶手段と、前記記憶手段に記憶されたＰＥＳ  ｅｘｔｅｎｓｉｏｎ  ｆｉｅｌｄを冗長領域部分に挿入する挿入手段を備えたフォーマット変換方法。
【請求項４】
記録媒体に記録された冗長領域情報を取得する、冗長領域情報読み込み手段をさらに備えたことを特徴とする、請求項３に記載のフォーマット変換方法。
【請求項５】
請求項１と請求項２に記載の映像音声符号化方法と、請求項３と請求項４に記載のフォーマット変換方法によって映像音声信号を符号化し、フォーマット変換する装置。
【発明の詳細な説明】
【技術分野】
【０００１】
本発明は、ディジタル記録方法及び装置に関するものであり、特にＤＶＤに映像や音声を記録するビデオレコーダに関するものである。
【背景技術】
【０００２】
図１７において、１７０１はストリーム読み出し手段、１７０２はストリーム再生手段、１７０３はストリーム変換手段、１７０４はストリーム書き込み手段である。ストリーム読み出し手段１７０１から読み出されたＤＶＤ  Ｖｉｄｅｏ規格のストリームをデータ出力手段１７０２にて復号化して再生する。ストリーム変換手段において、ＤＶＤ  Ｖｉｄｅｏ  Ｒｅｃｏｒｄｉｎｇ規格で符号化し、ストリーム書き込み装置１７０４でＤＶＤ−ＲＡＭやＨＤＤに記録を行う。なお、これに関連する技術文献として以下のようなものがある。
【特許文献１】特開２００３−１０１９２７号公報
【発明の開示】
【発明が解決しようとする課題】
【０００３】
従来の記録装置では、ＤＶＤ−Ｒ上のＤＶＤ  Ｖｉｄｅｏ規格のストリームをＤＶＤ  Ｖｉｄｅｏ  Ｒｅｃｏｒｄｉｎｇ規格のストリームに変換することができず、ＤＶＤ−ＲからＨＤＤ等の記録装置にダビングする場合は、映像音声ストリームを復号化して画像・音声にし、再び符号化してＤＶＤ  Ｖｉｄｅｏ  Ｒｅｃｏｒｄｉｎｇ規格の映像音声ストリームにするという操作が必要であり、再符号化時に画像が劣化するという問題があった。
【課題を解決するための手段】
【０００４】
上記課題に鑑み、本発明の実施形態は、ＰＥＳ  ｅｘｔｅｎｓｉｏｎ  ｆｉｅｌｄを追加するためにＤＶＤ−Ｒ録画時にＶＯＢＵ先頭のｐａｃｋに冗長領域を挿入し、そのストリームをＤＶＤ  Ｖｉｄｅｏ  Ｒｅｃｏｒｄｉｎｇ規格のストリームに変換するストリーム変換装置を装備するという特徴を有している。
【発明の効果】
【０００５】
本発明の第１の発明は、ＤＶＤ  Ｖｉｄｅｏ規格のストリームを作成する符号化装置であって、入力された映像音声信号を符号化する符号化手段と、ＤＶＤ  Ｖｉｄｅｏ  Ｒｅｃｏｒｄｉｎｇ規格のストリームに変換するために、所定バイトの冗長領域挿入を指示する冗長領域挿入制御手段と、符号化された映像音声ストリームをＤＶＤ  Ｖｉｄｅｏ規格のストリームとして出力するための多重化手段と、符号化の開始、終了を制御するための制御手段を備え、冗長領域挿入制御手段の指示によって録画時に所定バイトの冗長領域を挿入することによって再符号化することなくＤＶＤ  Ｖｉｄｅｏ  Ｒｅｃｏｒｄｉｎｇ規格に変換できるストリームを生成することができる効果がある。
【０００６】
本発明の第２の発明は、第１の発明に属するものであり、冗長領域挿入制御手段から所定バイトの冗長領域を挿入したかどうかの冗長領域挿入情報を取得して、記録媒体に書き込む冗長領域情報書き込み手段を備え、ストリームを解析することなく、記録されたストリームがＤＶＤ  Ｖｉｄｅｏ  Ｒｅｃｏｒｄｉｎｇ規格に変換できることを利用者に通知することができる効果がある。
【０００７】
本発明の第３の発明は、所定バイトの冗長領域を含んだＤＶＤ  Ｖｉｄｅｏ規格のストリームをＤＶＤ  Ｖｉｄｅｏ  Ｒｅｃｏｒｄｉｎｇ規格に変換するフォーマット変換方法であって、ストリームの種別を判定するストリーム判定手段と、ＰＥＳ  ｅｘｔｅｎｓｉｏｎ  ｆｉｅｌｄを取得して記憶するＰＥＳ  ｅｘｔｅｎｓｉｏｎ  ｆｉｅｌｄ記憶手段と、ＰＥＳ  ｅｘｔｅｎｓｉｏｎ  ｆｉｅｌｄを挿入するＰＥＳ  ｅｘｔｅｎｓｉｏｎ  ｆｉｅｌｄ挿入手段を備え、所定バイトの冗長領域を削除し、ＰＥＳ  ｅｘｔｅｎｓｉｏｎ  ｆｉｅｌｄを挿入することによって、再符号化することなくＤＶＤ  Ｖｉｄｅｏ  Ｒｅｃｏｒｄｉｎｇ規格に変換できる効果がある。
【０００８】
本発明の第４の発明は、第３の発明に属するものであり、記録媒体に記録された冗長領域挿入制御手段から所定バイトの冗長領域を挿入したかどうかの冗長領域挿入情報を読み出す冗長領域情報読み込み手段を備えることにより、記録されたストリームを読み込んで冗長領域の有無を検査することなくＤＶＤ  Ｖｉｄｅｏ  Ｒｅｃｏｒｄｉｎｇ規格への変換が可能かどうかを判定することができる効果がある。
【０００９】
本発明の第５の発明は、第１から第４の発明に属するものであり、所定バイトの冗長領域を挿入したことを示す情報を記録媒体に書き込む冗長領域情報書き込み手段と、ＤＶＤ  Ｖｉｄｅｏ  Ｒｅｃｏｒｄｉｎｇ規格のストリームに変換するために所定バイトの冗長領域挿入をしたＤＶＤ  Ｖｉｄｅｏ規格のストリームを生成する符号化手段と、前記冗長領域情報書き込み手段が書き込んだ冗長領域を挿入した情報を記録媒体から取得する冗長領域情報読み込み手段と、冗長領域を挿入した情報によってＤＶＤ  Ｖｉｄｅｏ規格のストリームからＤＶＤ  Ｖｉｄｅｏ  Ｒｅｃｏｒｄｉｎｇ規格のストリームに変換できると判定された場合に、所定バイトの冗長領域にストリームの種別に応じて、ストリームから読み出したＰＥＳ ｅｘｔｅｎｓｉｏｎ  ｆｉｅｌｄを冗長領域に挿入するＰＥＳ  ｅｘｔｅｎｓｉｏｎ  ｆｉｅｌｄ挿入手段を備え、ＤＶＤ  Ｖｉｄｅｏ規格のストリームを記録媒体に記録し、記録媒体に記録されたＤＶＤ  Ｖｉｄｅｏ規格のストリームを編集する場合など利用者の必要に応じてＤＶＤ  Ｖｉｄｅｏ規格からＤＶＤ  Ｖｉｄｅｏ  Ｒｅｃｏｒｄｉｎｇ規格のストリームに変換することができる効果がある。
【発明を実施するための最良の形態】
【００１０】
（実施の形態１）
図１は本発明の実施の形態１における録画装置の構成を示すブロック図であり、１０１は制御手段、１０２は符号化手段、１０３はシステム多重化手段、１０４は冗長領域挿入制御手段である。
【００１１】
はじめにＤＶＤ規格のストリームについて説明する。図２はシステム多重化手段が出力するＤＶＤ規格のストリーム構成を示したものである。ＤＶＤ規格では複数のエレメンタリストリームを集合したＭＰＥＧストリームをＶＯＢ（Ｖｉｄｅｏ  Ｏｂｊｅｃｔ  Ｕｎｉｔ）と定義されている。ＶＯＢＵ（ＶＯＢＵｎｉｔ）はＶＯＢの構成要素であり、再生時間は０４秒から１０秒となっている。
【００１２】
図３はＤＶＤ  Ｖｉｄｅｏ  Ｒｅｃｏｒｄｉｎｇ規格におけるＶＯＢＵを示したものである。ＶＯＢＵはビデオｐａｃｋ、オーディオｐａｃｋ、サブピクチャｐａｃｋ、ＲＤＩ（リアルタイムデータ情報）ｐａｃｋで構成される。
【００１３】
図４はＤＶＤ  Ｖｉｄｅｏ規格におけるＶＯＢＵを示したものである。ＶＯＢＵはビデオｐａｃｋ、オーディオｐａｃｋ、サブピクチャｐａｃｋ、ナビｐａｃｋで構成される。
【００１４】
図５はＰａｃｋの構造を示したものである。パック長は２０４８バイトであり、ＳＣＲ（ｓｙｓｔｅｍ  ｃｌｏｃｋ  Ｒｅｆｅｒｅｎｃｅ）が含まれるｐａｃｋヘッダとパケットが含まれる。
【００１５】
図６はｐａｃｋｅｔの構造を示したものである。ｐａｃｋｅｔにはパケットの開始を示すｐａｃｋｅｔ  ｓｔａｒｔ  ｃｏｄｅ、ストリームの内容を示すｓｔｒｅａｍ  ｉｄ、ＰＥＳ（Ｐａｃｋｅｔｉｚｅｄ  Ｅｌｅｍｅｎｔａｒｔｙ  Ｓｔｒｅａｍ）のｐａｃｋｅｔ長さを示す  ＰＥＳ  ｐａｃｋｅｔ  ｌｅｎｇｔｈ、ｐａｃｋｅｔヘッダの長さを示すｐａｃｋｅｔ  ｈｅａｄｅｒ  ｌｅｎｇｔｈ、ＰＴＳ（ｐｒｅｓｅｎｔａｔｉｏｎ  ｔｉｍｅ  ｓｔａｍｐ）、ＤＴＳ（ｄｅｃｏｄｉｎｇ  ｔｉｍｅ  ｓｔａｍｐ）、ターゲットデコーダのバッファサイズなどを示すＰＥＳ  ｅｘｔｅｎｓｉｏｎ  ｆｉｅｌｄが含まれる。
【００１６】
ＤＶＤ規格ではデータサイズがｐａｃｋ長に満たない場合に、２通りのｐａｃｋ長調整方法が定義されている。図７は１から７バイトまでの長さを調整する場合の調整方法である。Ｐａｃｋｅｔヘッダにｓｔｕｆｆｉｎｇと呼ばれるデータを挿入することでｐａｃｋ長を調整することができる。図８は８バイト以上の調整が必要な場合には、Ｐａｄｄｉｎｇ  ｐａｃｋｅｔと呼ばれるデータを挿入することでｐａｃｋ長を調整することができる。
【００１７】
ＤＶＤ  Ｖｉｄｅｏ  Ｒｅｃｏｒｄｉｎｇ規格では、各ＶＯＢＵの先頭のビデオ、オーディオ、サブピクチャｐａｃｋｅｔにＰＥＳ  ｅｘｔｅｎｓｉｏｎ  ｆｉｅｌｄを挿入する必要があるが、ＤＶＤ  Ｖｉｄｅｏ規格ではＶＯＢの先頭ＶＯＢＵのビデオ、オーディオ、サブピクチャｐａｃｋｅｔにのみＰＥＳ  ｅｘｔｅｎｓｉｏｎ  ｆｉｅｌｄを挿入する必要がある。このため、ＤＶＤ  Ｖｉｄｅｏ規格からＤＶＤ  Ｖｉｄｅｏ  Ｒｅｃｏｒｄｉｎｇ規格にストリームを変換する際には、各ＶＯＢＵの先頭のビデオ、オーディオ、サブピクチャｐａｃｋｅｔにＰＥＳ  ｅｘｔｅｎｓｉｏｎ  ｆｉｅｌｄを挿入することが求められる。
【００１８】
ＤＶＤ規格では、ＰＥＳ  ｅｘｔｅｎｓｉｏｎ  ｆｉｅｌｄは３バイトであり、ｐａｄｄｉｎｇ  ｐａｃｋｅｔのヘッダ長は６バイトであり、各ＶＯＢＵの先頭のビデオ、オーディオ、サブピクチャｐａｃｋにｓｔｕｆｆｉｎｇが３バイト以上含まれるか、ｐａｄｄｉｎｇ  ｐａｃｋｅｔが含まれていれば、ＰＥＳ  ｅｘｔｅｎｓｉｏｎ  ｆｉｅｌｄを挿入することができる。
【００１９】
図９は本発明の符号化装置の処理フローを示したものである。処理９０１は制御手段１０１に該当し、処理９０２は符号化手段１０２に該当し、処理９０４、９０５が冗長領域挿入手段に該当し、処理９０６、処理９０７はシステム多重化手段に該当する。処理９０２で映像音声信号からエレメンタリストリームを生成する。処理９０２で生成されたパックデータに対して、処理９０３にて冗長領域の挿入方法を決定する。一般的に録画途中のＶＯＢＵの場合は処理９０４が選択され、録画終了時のストリーム最後で処理９０５が選択される。処理９０４または処理９０５で冗長領域が挿入された後、処理９０６でストリームをｐａｃｋ化する、冗長領域を挿入し、ＶＯＢＵ単位のストリームとし、ナビｐａｃｋを生成してｓ挿入し、ＤＶＤ  Ｖｉｄｅｏ規格のストリームを出力する。
【００２０】
（実施の形態２）
図１０は本発明の実施の形態２における録画装置の構成を示すブロック図である。１００１は制御手段、１００２は符号化手段、１００３はシステム多重化手段、１００４は冗長領域挿入制御手段、１００５は冗長領域情報書き込み手段である。冗長領域情報書き込み手段１００５が追加された以外は、図１と同様である。図９の処理９０７が冗長領域情報書き込み手段１００５に該当する。処理９０７では録画終了時に冗長領域を挿入したことを媒体に記録する。
【００２１】
図１１はＤＶＤ−Ｒに直接録画したときのデータ構造を示している。ＶＴＳ（Ｖｉｄｅｏ  Ｔｉｔｌｅ  Ｓｅｔ）はタイトルとタイトルメニューの集合である。ＶＴＳＩ（Ｖｉｄｅｏ  Ｔｉｔｌｅ  Ｓｅｔ情報）はＶＴＳの管理情報であり、ＶＴＳＩ＿ＢＵＰは管理情報のバックアップである。また、ＶＴＳＴＴ＿ＶＯＢＳがタイトル用ＶＯＢの集合である。ＶＴＳＩ＿ＢＵＰの後に冗長領域を挿入したことを示す情報を記録する。
【００２２】
図１２は冗長領域情報を読み出して、ストリーム変換を行う処理のブロック図である。冗長領域読み出し手段１２０１、変換可否判定手段１２０２について図１４の処理フローを用いて説明する。処理１４０１が冗長領域読み出し手段１２０１、処理１４０２が変換可否判定手段１２０２に該当する。処理１４０１にて処理９０７で記録された冗長領域を挿入したかどうかを判定する情報を読み出す。冗長領域を挿入したことを示す情報が読み出せたかどうかを処理１４０２にて判断し、冗長領域を挿入したことを示す情報が有効であれば、ストリーム変換処理を実施する。ストリーム変換の際に媒体からストリームを読み、変換後のストリームを媒体に記録するのが、ストリーム読み書き手段１２０４であり、ストリームの変換を行うのが変換手段１２０３である。
【００２３】
変換手段１２０３について図１３のＤＶＤ  Ｖｉｄｅｏ  Ｒｅｃｏｒｄｉｎｇ規格からＤＶＤ  Ｖｉｄｅｏ規格に変換するときの処理フローを用いて説明する。ＤＶＤ  Ｖｉｄｅｏ  Ｒｅｃｏｒｄｉｎｇ規格に変換するときに挿入するＰＥＳ  ｅｘｔｅｎｓｉｏｎ  ｆｉｅｌｄはｐａｃｋの種類によって異なっている。また、ナビｐａｃｋはＲＤＩ  ｐａｃｋに変換する必要がある。そのためにまず処理１３０２でｐａｃｋの種別を判定する。処理１３０３で入力されたパックがナビｐａｃｋの場合にはＲＤＩ  ｐａｃｋに変換する。ＲＤＩ  ｐａｃｋには、ＶＯＢＵの開始ＰＴＭや、アスペクト、著作権情報、ＶＯＢの録画時間の情報が含まれるが、ＶＯＢＵの開始ＰＴＭはナビｐａｃｋに同様の情報が含まれており、例えばアスペクトは４：３固定、著作権情報は無効、ＶＯＢの録画時間は現在の時刻を利用することでナビｐａｃｋからＲＤＩ  ｐａｃｋに変換することができる。処理１３０４でビデオ、オーディオ、サブピクチャのｐａｃｋがＶＯＢＵの先頭ｐａｃｋかどうかを判定し、ＶＯＢＵ内のｐａｃｋだった場合には、処理１３０８にてＰＥＳ  ｅｘｔｅｎｓｉｏｎ  ｆｉｅｌｄが存在すればｐａｃｋ種別毎にＰＥＳ  ｅｘｔｅｎｓｉｏｎ  ｆｉｅｌｄを保存する。
【００２４】
ＶＯＢＵ内の先頭ｐａｃｋでない場合には、ＰＥＳ  ｅｘｔｅｎｓｉｏｎ  ｆｉｅｌｄを挿入する必要がある。処理１３０７でｐａｃｋ内にｓｔｕｆｆｉｎｇバイトがＰＥＳ  ｅｘｔｅｎｓｉｏｎ  ｆｉｅｌｄのバイト数以上あるか検査し、ＰＥＳ  ｅｘｔｅｎｓｉｏｎ  ｆｉｅｌｄのバイト数以上あれば処理１３０９で、処理１３０８にて保存されたＰＥＳ  ｅｘｔｅｎｓｉｏｎ  ｆｉｅｌｄをｓｔｕｆｆｉｎｇ部分に挿入する。図１５は処理１３０９にて変換されたｐａｃｋを示している。変換前ｐａｃｋ１５０１のｓｔｕｆｆｉｎｇの一部が変換後ｐａｃｋ１５０２ではＰＥＳ  ｅｘｔｅｎｓｉｏｎ  ｆｉｅｌｄに置き換わっている。
【００２５】
ｓｔｕｆｆｉｎｇバイトがＰＥＳ  ｅｘｔｅｎｓｉｏｎ  ｆｉｅｌｄのバイト数未満の場合には、処理１３１０でｐａｄｄｉｎｇ  ｐａｃｋｅｔが存在するかどうかの検査を行う。ｐａｄｄｉｎｇ  ｐａｃｋｅｔがなければＰＥＳ  ｅｘｔｅｎｓｉｏｎ  ｆｉｅｌｄを挿入できないため、変換エラーを通知する。
【００２６】
Ｐａｄｄｉｎｇ  ｐａｃｋｅｔがある場合には、処理１３１１にてｐａｄｄｉｎｇ  ｐａｃｋｅｔの長さを検査し、ｐａｄｄｉｎｇ  ｐａｃｋｅｔ長がＰＥＳ  ｅｘｔｅｎｓｉｏｎ  ｆｉｅｌｄのバイト数より大きければ、処理１３１２にてｐａｃｋｅｔデータを後ろにずらして、ＰＥＳ  ｅｘｔｅｎｓｉｏｎ  ｆｉｅｌｄを挿入し、Ｐａｄｄｉｎｇ  ｐａｃｋｅｔ長をＰＥＳ  ｅｘｔｅｎｓｉｏｎ  ｆｉｅｌｄのバイト数だけ短くする。Ｐａｄｄｉｎｇ  ｐａｃｋｅｔ長がＰＥＳ  ｅｘｔｅｎｓｉｏｎ  ｆｉｅｌｄバイト数以下の場合には、処理１３１３でｐａｄｄｉｎｇ  ｐａｃｋｅｔヘッダ長とデータ長のバイト数だけデータを後ろにずらしてＰＥＳ  ｅｘｔｅｎｓｉｏｎ  ｆｉｅｌｄを挿入し、ｐａｄｄｉｎｇ  ｐａｃｋｅｔヘッダのバイト数とｐａｄｄｉｎｇ  ｐａｃｋｅｔデータのバイト数からＰＥＳ  ｅｘｔｅｎｓｉｏｎ  ｆｉｅｌｄバイト減算したバイト数だけｓｔｕｆｆｉｎｇを挿入する。図１６は処理１３１２，  １３１３，  １３１４，  １３１５にて変換されたｐａｃｋを示している。変換前ｐａｃｋ１６０１は、処理１３１２，  １３１３にてｐａｃｋ１６０２に変換される。変換後ｐａｃｋ１６０２ではＰＥＳ  ｅｘｔｅｎｓｉｏｎ  ｆｉｅｌｄが挿入された分だけｐａｄｄｉｎｇ  ｐａｃｋｅｔのサイズが小さくなっている。処理１３１４，  １３１５にて変換された変換後ｐａｃｋ１６０３では、ｐａｄｄｉｎｇ  ｐａｃｋｅｔが削除され、ＰＥＳ  ｅｘｔｅｎｓｉｏｎ  ｆｉｅｌｄとｓｔｕｆｆｉｎｇに置き換わっている。
【００２７】
以上の処理によってＤＶＤ  Ｖｉｄｅｏ規格のストリームをＤＶＤ  Ｖｉｄｅｏ  Ｒｅｃｏｒｄｉｎｇ規格のストリームに変換することができる。
【産業上の利用可能性】
【００２８】
本発明の映像音声符号化装置によれば、ＤＶＤ  Ｖｉｄｅｏ規格で記録されたストリームを再符号化することなくＤＶＤ  Ｖｉｄｅｏ  Ｒｅｃｏｒｄｉｎｇ規格のストリームに変換することが可能になり、ＤＶＤ−Ｒへ記録ができるビデオレコーダに適用することができる。
【図面の簡単な説明】
【００２９】
【図１】実施の形態における記録装置のブロック図
【図２】ＤＶＤ規格のストリーム構造を示した図
【図３】ＤＶＤ  Ｖｉｄｅｏ  Ｒｅｃｏｒｄｉｎｇ規格のストリーム構造を示した図
【図４】ＤＶＤ  Ｖｉｄｅｏ規格のストリーム構造を示した図
【図５】パックの構造を示した図
【図６】パケットヘッダの構造を示した図
【図７】ｓｔｕｆｆｉｎｇを含んだパックの構造を示した図
【図８】ｐａｄｄｉｎｇ  ｐａｃｋｅｔを含んだパックの構造を示した図
【図９】符号化装置の処理フロー図
【図１０】符号化装置のブロック図
【図１１】ＤＶＤ―Ｒに直接記録したときの情報の構成を示した図
【図１２】冗長領域情報の読み出し手段を備えたフォーマット変換装置のブロック図
【図１３】フォーマット変換の処理フロー図
【図１４】フォーマット変換可否判定フロー図
【図１５】ｓｔｕｆｆｉｎｇをＰＥＳ  ｅｘｔｅｎｓｉｏｎ  ｆｉｅｌｄに置換したときの図
【図１６】ｐａｄｄｉｎｇ  ｐａｃｋｅｔをＰＥＳ  ｅｘｔｅｎｓｉｏｎ  ｆｉｅｌｄに置換したときの図
【図１７】従来の実施例のブロック図
【符号の説明】
【００３０】
１０１    符号化手段
１０２    システム多重化手段
１０３    制御手段
１０４    冗長領域挿入制御手段
１７０１    ストリーム読み出し手段
１７０２    ストリーム再生手段
１７０３    ストリーム変換手段
１７０４    ストリーム書き込み手段
【図１】
2005159610.tif 000003
【図２】
2005159610.tif 000004
【図３】
2005159610.tif 000005
【図４】
2005159610.tif 000006
【図５】
2005159610.tif 000007
【図６】
2005159610.tif 000008
【図７】
2005159610.tif 000009
【図８】
2005159610.tif 000010
【図９】
2005159610.tif 000011
【図１０】
2005159610.tif 000012
【図１１】
2005159610.tif 000013
【図１２】
2005159610.tif 000014
【図１３】
2005159610.tif 000015
【図１４】
2005159610.tif 000016
【図１５】
2005159610.tif 000017
【図１６】
2005159610.tif 000018
【図１７】
2005159610.tif 000019